(57)【特許請求の範囲】
【請求項１】
底面ほぼ中央部に押し上げピン挿入孔が形成されたハカマ部材と、このハカマ部材内に下端部が挿入固定された軸心方向の切欠部を有する内筒部材と、この内筒部材の切欠部が形成された部位の外周部を回動可能に覆う上部寄りの部位に取外し溝を有する螺旋溝が形成された螺旋部材と、この螺旋部材の外周部を覆い下端部が前記ハカマ部材内に挿入された外筒部材と、前記内筒部材内に上下移動可能に取付けられた口紅等を支持する皿部材本体、この皿部材本体の底面の一部を除く部位に下方へ突出するように一体成形された係合ピン支持部、この係合ピン支持部の下部寄りの一部を除く部位の外周部のほぼ中央部に一体成形された前記内筒部材の切欠部および前記螺旋部材の螺旋溝と係合する係合ピンおよび前記係合ピン支持部の下端部に一体成形された前記係合ピンが前記螺旋溝で移動される最大突出状態では取外すことができず、前記ハカマ部材の押し上げピン挿入孔より押し上げピンを挿入して係合ピンが螺旋部材の取外し溝内へ押し上げられると係合ピンが切欠部より抜け脱するように回動させることができる係止片とからなる皿部材とを備えることを特徴とする口紅等の収納容器。
【請求項２】
底面ほぼ中央部に押し上げピン挿入孔が形成されたハカマ部材と、このハカマ部材内に下端部が挿入固定され、上部寄りの部位に係止溝部および取外し溝を有する軸心方向の切欠部が形成された内筒部材と、この内筒部材の外周部を回動可能に覆う前記切欠部と対応する内壁面に螺旋溝が形成され、あるいは螺旋溝が形成された螺旋部材の内部に有する下端部が前記ハカマ部材内に挿入された外筒部材と、前記内筒部材内に上下移動可能に取付けられた口紅等を支持する皿部材本体と、この皿部材本体の底面の一部を除く部位に下方へ突出するように一体成形された係合ピン支持部、この係合ピン支持部の下部寄りの一部を除く部位の外周部のほぼ中央部に一体成形された前記内筒部材の切欠部および前記外筒部材の螺旋溝と係合する係合ピンおよび前記係合ピン支持部の下端部に一体成形された前記係合ピンが前記切欠部の係止溝部に当接する通常の最大突出状態では取外すことができず、前記ハカマ部材の押し上げピン挿入孔より押し上げピンを挿入して係合ピンが切欠部の取外し溝内に押し上げられると係合ピンが取外し溝内より抜け脱するように回動させることができる係止片とからなる皿部材とを備えることを特徴とする口紅等の収納容器。
【請求項３】
底面ほぼ中央部に押し上げピン挿入孔が形成されたハカマ部材と、このハカマ部材内に下端部が挿入固定された軸心方向の切欠部が形成された内筒部材と、この内筒部材の切欠部が形成された部位の外周部を回動可能に覆う上部寄りの部位に取外し溝を有する螺旋溝が形成された螺旋部材と、この螺旋部材の外周部を覆い下端部が前記ハカマ部材内に挿入された外筒部材と、前記内筒部材の切欠部形成部位と反対側の上部寄りの部位に形成された挿入部と、前記内筒部材内に上下移動可能に取付けられた口紅等を支持する皿部材本体、この皿部材本体の底面の一部を除く部位に下方へ突出するように一体成形された係合ピン支持部、この係合ピン支持部の下部寄りの一部を除く部位の外周部のほぼ中央部に一体成形された前記内筒部材の切欠部および前記螺旋部材の螺旋溝と係合する係合ピンおよび前記係合ピン支持部の下端部に一体成形された前記係合ピンが前記螺旋部材の螺旋溝で移動される通常の最大突出状態では取外すことができず、前記ハカマ部材の押し上げピン挿入孔より押し上げピンを挿入して係合ピンが螺旋部材の取外し溝内に位置させると前記内筒部材の挿入部へ先端部の挿入ピンが入り込み、抜け脱するように回動させることができる係止片とからなる皿部材とを備えることを特徴とする口紅等の収納容器。
【請求項４】
底面ほぼ中央部に押し上げピン挿入孔が形成されたハカマ部材と、このハカマ部材内に下端部が挿入固定された軸心方向の切欠部が形成された内筒部材と、この内筒部材の外周部を回動可能に覆う前記切欠部と対応する内壁面に螺旋溝が形成され、あるいは螺旋溝が形成された螺旋部材の内部に有する下端部が前記ハカマ部材内に挿入された外筒部材と、前記内筒部材の切欠部形成部位と反対側の上部寄りの部位に形成された挿入部と、前記内筒部材内に上下移動可能に取付けられた口紅等を支持する皿部材本体、この皿部材本体の底面の一部を除く部位に下方へ突出するように一体成形された係合ピン支持部、この係合ピン支持部の下部寄りの一部を除く部位の外周部のほぼ中央部に一体成形された前記内筒部材の切欠部および前記螺旋部材の螺旋溝と係合する係合ピンおよび前記係合ピン支持部の下端部に一体成形された前記係合ピンが前記螺旋部材の螺旋溝で移動される通常の最大突出状態では取外すことができず、前記ハカマ部材の押し上げピン挿入孔より押し上げピンを挿入して係合ピンが螺旋部材の取外し溝内に位置させると前記内筒部材の挿入部へ先端部の挿入ピンが入り込み、抜け脱するように回動させることができる係止片とからなる皿部材とを備えることを特徴とする口紅等の収納容器。
【発明の詳細な説明】
【０００１】
【発明の属する技術分野】
本発明は口紅、リップクリーム、スチックアイシャドウ、スチックファンデーション等の棒状化粧品を収納する口紅等の収納容器に関する。
【０００２】
【従来の技術】
口紅を充填した皿部材を最後に組付けたり、組付けた皿部材を交換のために取外すことができるようにした口紅収納容器は、必要以上の大きな力で口紅を突出させる操作を行なうと皿部材が外れたり、あるいは特殊で面倒な操作を行なう必要のある構造に形成されている。
【０００３】
【発明が解決しようとする課題】
従来の必要以上の大きな力で口紅を突出させる操作を行なうものは、使用者が使用時に誤って大きな力で操作してしまい、口紅を支持する皿部材を容器本体より脱落させてしまうという事故が生じるという欠点があり、特殊で面倒な操作を行なうものは、使用者が誤って口紅を支持した皿部材を容器本体より脱落させてしまうという事故を確実に防止することができるが、皿部材の交換に手数がかかり、面倒であるという欠点があった。
【０００４】
本発明は以上のような従来の欠点に鑑み、使用者が誤って口紅等を支持した皿部材を脱落させるのを確実に防止することができるとともに、口紅等の交換時には簡単な操作で、容易に皿部材の取外しや取付けを行なうことができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は底面ほぼ中央部に押し上げピン挿入孔が形成されたハカマ部材と、このハカマ部材内に下端部が挿入固定された軸心方向の切欠部を有する内筒部材と、この内筒部材の切欠部が形成された部位の外周部を回動可能に覆う上部寄りの部位に取外し溝を有する螺旋溝が形成された螺旋部材と、この螺旋部材の外周部を覆い下端部が前記ハカマ部材内に挿入された外筒部材と、前記内筒部材内に上下移動可能に取付けられた口紅等を支持する皿部材本体、この皿部材本体の底面の一部を除く部位に下方へ突出するように一体成形された係合ピン支持部、この係合ピン支持部の下部寄りの一部を除く部位の外周部のほぼ中央部に一体成形された前記内筒部材の切欠部および前記螺旋部材の螺旋溝と係合する係合ピンおよび前記係合ピン支持部の下端部に一体成形された前記係合ピンが前記螺旋溝で移動される最大突出状態では取外すことができず、前記ハカマ部材の押し上げピン挿入孔より押し上げピンを挿入して係合ピンが螺旋部材の取外し溝内へ押し上げられると係合ピンが切欠部より抜け脱するように回動させることができる係止片とからなる皿部材とで口紅等の収納容器を構成している。
【０００７】
【発明の実施の形態】
以下、図面に示す実施の形態により、本発明を詳細に説明する。
【０００８】
図１ないし図１１に示す本発明の第１の実施の形態において、１はハカマ部材で、このハカマ部材１の底面ほぼ中央部には、販売時にはシール２で覆われる押し上げピン挿入孔３が形成され、上部外周部にはキャップ嵌合部４が形成されている。
【０００９】
５は前記ハカマ部材１内に下端部が挿入固定された内筒部材で、この内筒部材５の上下部を除く外周部に螺旋部材挿入凹部６が形成されるとともに、該螺旋部材挿入凹部６に軸心方向の切欠部７が形成されている。
【００１０】
８は前記内筒部材５の螺旋部材挿入凹部６内に該螺旋部材挿入凹部６を覆うように回動可能に取付けられた螺旋部材で、この螺旋部材８には上部に係止溝部９ａを有する螺旋溝９が形成されるとともに、該螺旋溝９の上部寄りの部位には上方へ突出する取外し溝１０が形成されている。
【００１１】
１１は前記螺旋部材８の外周部を覆う下端部が前記ハカマ部材１内に挿入された外筒部材である。
【００１２】
１２は使用時には前記内筒部材５内より脱落することなく、交換時には容器に取外しや取付けを行なうことができる内筒部材５内に上下移動可能に取付けられる口紅１３を支持する皿部材で、この皿部材１２は図３ないし図５に示すように口紅を支持する皿部材本体１４と、この皿部材本体１４の底面の一部を除き凹部１５が形成できる部位に下方へ突出するように一体成形されたほぼ半円柱状の係合ピン支持部１６と、この係合ピン支持部１６の下部寄りの前記凹部１５を除く部位の外周部のほぼ中央部に一体成形された前記内筒部材５の切欠部７および前記螺旋部材８の螺旋溝９と係合する係合ピン１７と、前記係合ピン支持部１６の下端部に一体成形された前記係合ピン１７が前記螺旋溝９で移動される最大突出状態では取外すことができず、前記ハカマ部材１の押し上げピン挿入孔３より押し上げピン１８を挿入して係合ピン１７を螺旋部材８の取外し溝１０内へ位置させると取外しできるように回動させることができる係止片１９とで構成されている。この係止片１９は前記係合ピン１７の根元部より、内側部位より下方へ突出し、先端部が前記皿部材本体１４の外周部と同一部位まで突出する断面Ｌ字状に形成されている。
なお、２３は前記外筒部材１１の外周部を覆う前記ハカマ部材１のキャップ嵌合部４と着脱可能に嵌合するキャップである。
【００１３】
上記構成の口紅収納容器２０は皿部材１２を除く部品を組付けておく、皿部材１２あるいは口紅１３を支持させた皿部材１２を組付ける場合、まずハカマ部材１と外筒部材１１とを持って、図６に示すように切欠部７の上部位置に螺旋部材８の係止溝部９ａを位置させる。次に、図７に示すように皿部材１２を傾斜状態にして係止片１９を内筒部材５内へ挿入し、図８に示すように回動させて係合ピン１７が内筒部材５の切欠部７と螺旋部材８の係止溝部９ａと係合させる。
しかる後、ハカマ部材１と外筒部材１１とを持って回動させることにより、皿部材１２を従来の口紅収納容器と同様に螺旋部材８の螺旋溝９によって上下移動させることができる。
この場合、皿部材１２を最大に突出するようにハカマ部材１と外筒部材１１とを持って回動させても、係合ピン１７は図９に示すように螺旋部材８の係止溝部９ａ内に位置するため、皿部材１２が内筒部材５より脱落することがない。
【００１４】
皿部材１２を取付けた後、口紅１３が不良品で、あつたり、異なる口紅１３に交換する場合、ハカマ部材１の底面のシール２を取外すとともに、図６に示すように係合ピン１７を螺旋部材８の取外し溝１０の下部に位置するようにセットした後、図１０に示すように押し上げピン挿入孔３より押し上げピン１８を挿入して皿部材１２を上方へ押し上げ、係合ピン１７を螺旋部材８の取外し溝１０内に位置させる。この状態で、皿部材１２を図１１に示すように回動させることにより内筒部材５より皿部材１２を取外すことができる。
【００１５】
【発明の異なる実施の形態】
次に、図１２ないし図２９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１２ないし図１４に示す本発明の第２の実施の形態において、前記本発明の第１の実施の形態と主に異なる点は、上部寄りの部位に切欠部７と連通する係止溝部７ａを形成した内筒部材５Ａと、螺旋溝９が形成された螺旋部材８Ａを用いた点で、このように形成された内筒部材５Ａと螺旋部材８Ａを用いて構成した口紅収納容器２０Ａにしても、前記本発明の第１の実施の形態と同様な作用効果が得られる。
【００１７】
図１５ないし図１７に示す本発明の第３の実施の形態において、前記本発明の第２の実施の形態と主に異なる点は、内壁面に螺旋溝９を形成した外筒部材１１Ａを用いた点で、このように形成した外筒部材１１Ａを用いて構成した口紅収納容器２０Ｂにしても、前記本発明の第２の実施の形態と同様な作用効果が得られる。
【００１８】
図１８ないし図２４に示す本発明の第４の実施の形態において、前記本発明の第１の実施の形態と主に異なる点は、係止片１９の先端部に挿入ピン２１、２１が形成された皿部材１２Ａと、上部寄りの切欠部７と対向する部位に前記皿部材１２Ａを取外す部位へ押し上げた場合に挿入ピン２１、２１が入り込む切欠状あるいは凹部状、本発明の実施の形態では切欠状の挿入部２２、２２を形成した内筒部材５Ｂを用いた点で、このように形成された皿部材１２Ａと内筒部材５Ｂを用いて構成した口紅収納容器２０Ｃにしても、前記本発明の第１の実施の形態と同様な作用効果が得られる。
【００１９】
図２５ないし図２７に示す本発明の第５の実施の形態において、前記本発明の第４の実施の形態と主に異なる点は、上部寄りの部位に切欠部７と連通する係止溝部７ａを形成した内筒部材５Ｃと、螺旋溝９が形成された螺旋溝８Ａを用いた点で、このように形成された内筒部材５Ｃと螺旋部材８Ａを用いて構成した口紅収納容器２０Ｄにしても、前記本発明の第４の実施の形態と同様な作用効果が得られる。
【００２０】
図２８および図２９に示す本発明の第６の実施の形態において、前記本発明の第５の実施の形態と主に異なる点は、内壁面に螺旋溝９が形成された外筒部材１１Ａを用いた点で、このように形成された外筒部材１１Ａを用いて構成された口紅収納容器２０Ｅにしても、前記本発明の第５の実施の形態と同様な作用効果が得られる。
【００２１】
なお、前記本発明の各実施の形態では皿部材１２、１２Ａに口紅１３を支持させるものについて説明したが、本発明はこれに限らず、リップクリーム、スチックアイシャドウ、スチックファンデーション等の棒状化粧品を皿部材に支持させてもよい。
【００２２】
【発明の効果】
以上の説明から明らかなように、本発明にあっては次に列挙する効果が得られる。
【００２３】
（１）底面ほぼ中央部に押し上げピン挿入孔が形成されたハカマ部材と、このハカマ部材内に下端部が挿入固定された軸心方向の切欠部を有する内筒部材と、この内筒部材の切欠部が形成された部位の外周部を回動可能に覆う上部寄りの部位に取外し溝を有する螺旋溝が形成された螺旋部材と、この螺旋部材の外周部を覆い下端部が前記ハカマ部材内に挿入された外筒部材と、前記内筒部材内に上下移動可能に取付けられた口紅等を支持する皿部材本体、この皿部材本体の底面の一部を除く部位に下方へ突出するように一体成形された係合ピン支持部、この係合ピン支持部の下部寄りの一部を除く部位の外周部のほぼ中央部に一体成形された前記内筒部材の切欠部および前記螺旋部材の螺旋溝と係合する係合ピンおよび前記係合ピン支持部の下端部に一体成形された前記係合ピンが前記螺旋溝で移動される最大突出状態では取外すことができず、前記ハカマ部材の押し上げピン挿入孔より押し上げピンを挿入して係合ピンが螺旋部材の取外し溝内へ押し上げられると係合ピンが切欠部より抜け脱するように回動させることができる係止片とからなる皿部材とで構成されているので、使用者の口紅等の出没操作では皿部材が内筒部材より外れるのを確実に防止することができる。
したがって、安全に使用することができるとともに、使用中に皿部材が外れたという苦情を確実に防止することができる。
【００２４】
（２）前記（１）によって、口紅等を充填した皿部材を差替える場合、皿部材を上部に位置させ、ハカマ部材の押し上げピン挿入孔より押し上げピンを挿入して押し上げることにより、係合ピンが内筒部材の切欠部より外れるように回動させることができる。
したがって、内筒部材内より皿部材を取外すことができるとともに、逆の操作で新しい皿部材を内筒部材内に組付けることができる。
よって、不良品の口紅等や色の異なる口紅等への差替えを容易に行なうことができる。
【００２５】
（３）前記（１）によって、内筒部材に形成する切欠部は上端部が開口していなくても皿部材の取付け、取外しを行なうことができ、美観の向上を図ることができる。
【００２６】
（４）請求項２、３、４も前記（１）〜（３）と同様な効果が得られる。
【図面の簡単な説明】
【図１】本発明の第１の実施の形態の断面図。
【図２】本発明の第１の実施の形態の分解説明図。
【図３】本発明の第１の実施の形態の皿部材の正面図。
【図４】本発明の第１の実施の形態の皿部材の平面図。
【図５】本発明の第１の実施の形態の皿部材の底面図。
【図６】本発明の第１の実施の形態の皿部材を取付けるセット状態の説明図。
【図７】本発明の第１の実施の形態の皿部材の内筒部材への挿入状態の説明図。
【図８】本発明の第１の実施の形態の係合ピンを係合させる状態の説明図。
【図９】本発明の第１の実施の形態の使用時の係合ピンの移動説明図。
【図１０】本発明の第１の実施の形態の皿部材を押し上げた状態の説明図。
【図１１】本発明の第１の実施の形態の皿部材を取外す状態の説明図。
【図１２】本発明の第２の実施の形態の断面図。
【図１３】本発明の第２の実施の形態の内筒部材の説明図。
【図１４】本発明の第２の実施の形態の皿部材を押し上げた状態の説明図。
【図１５】本発明の第３の実施の形態の断面図。
【図１６】本発明の第３の実施の形態の外筒部材の説明図。
【図１７】本発明の第３の実施の形態の皿部材を押し上げた状態の説明図。
【図１８】本発明の第４の実施の形態の断面図。
【図１９】本発明の第４の実施の形態の内筒部材の説明図。
【図２０】本発明の第４の実施の形態の皿部材の正面図。
【図２１】本発明の第４の実施の形態の皿部材の側面図。
【図２２】本発明の第４の実施の形態の使用時の皿部材最上部の状態の説明図。
【図２３】本発明の第４の実施の形態の皿部材を押し上げた状態の説明図。
【図２４】本発明の第４の実施の形態の皿部材を取外す状態の説明図。
【図２５】本発明の第５の実施の形態の断面図。
【図２６】本発明の第５の実施の形態の内筒部材の説明図。
【図２７】本発明の第５の実施の形態の皿部材を押し上げた状態の説明図。
【図２８】本発明の第６の実施の形態の断面図。
【図２９】本発明の第６の実施の形態の皿部材を押し上げた状態の説明図。
【符号の説明】
１：ハカマ部材、            ２：シール、
３：押し上げピン挿入孔、    ４：キャップ嵌合部、
５、５Ａ、５Ｂ：内筒部材、  ６：螺旋部材挿入凹部、
７：切欠部、                ８、８Ａ：螺旋部材、
９ａ：係止溝部、            ９：螺旋溝、
１０：取外し溝、            １１、１１Ａ：外筒部材、
１２、１２Ａ：皿部材、      １３：口紅、
１４：皿部材本体、          １５：凹部、
１６：係合ピン支持部、      １７：係合ピン、
１８：押し上げピン、        １９：係止片、
２０、２０Ａ〜２０Ｅ：口紅収納容器、
２１：挿入ピン、            ２２：挿入部、
２３：キャップ。
【図１】
0004030165.tif 000002
【図２】
0004030165.tif 000003
【図３】
0004030165.tif 000004
【図４】
0004030165.tif 000005
【図５】
0004030165.tif 000006
【図６】
0004030165.tif 000007
【図７】
0004030165.tif 000008
【図８】
0004030165.tif 000009
【図９】
0004030165.tif 000010
【図１０】
0004030165.tif 000011
【図１１】
0004030165.tif 000012
【図１２】
0004030165.tif 000013
【図１３】
0004030165.tif 000014
【図１４】
0004030165.tif 000015
【図１５】
0004030165.tif 000016
【図１６】
0004030165.tif 000017
【図１７】
0004030165.tif 000018
【図１８】
0004030165.tif 000019
【図１９】
0004030165.tif 000020
【図２０】
0004030165.tif 000021
【図２１】
0004030165.tif 000022
【図２２】
0004030165.tif 000023
【図２３】
0004030165.tif 000024
【図２４】
0004030165.tif 000025
【図２５】
0004030165.tif 000026
【図２６】
0004030165.tif 000027
【図２７】
0004030165.tif 000028
【図２８】
0004030165.tif 000029
【図２９】
0004030165.tif 000030